(57)【要約】      （修正有）【課題】電磁調理器のノブ構造を提供する。【解決手段】ケーシング１に設置された少なくとも一つのノブスイッチアセンブリ４と、ケーシング内に設置されたプリント回路基板とを含み、ノブスイッチアセンブリは、ケーシングに開口されたスルーホールを通って、プリント回路基板に接続される電磁調理器のノブ構造であって、スルーホールの周囲には、ケーシングから突出された一回りの案内リブ６が設置されており、ノブスイッチアセンブリには、表示スクリーン７が組み立てられ、表示スクリーンの外側には、保護アセンブリ８が設置されており、ノブスイッチアセンブリは、スリーブボタンと、ロータリーエンコーダと表示スクリーンブラケットと制御アセンブリとを含み、スリーブボタンとロータリーエンコーダと表示スクリーンブラケットとは、軸線に沿って外側から内側に順番に組み立てられている。【選択図】図１
0003223502.tif 000002
【実用新案登録請求の範囲】
【請求項１】
ケーシング（１）に設置された少なくとも一つのノブスイッチアセンブリ（４）と、ケーシング（１）内に設置されたプリント回路基板（５）とを、含み、ノブスイッチアセンブリ（４）は、ケーシング（１）に開口されたスルーホール（１１）を通って、プリント回路基板（５）に接続される、電磁調理器のノブ構造であって、
前記スルーホール（１１）の周囲には、ケーシング（１）から突出された一回りの案内リブ（６）が設置されており、
前記ノブスイッチアセンブリ（４）には、表示スクリーン（７）が組み立てられており、
前記表示スクリーン（７）の外側には、保護アセンブリ（８）が設置されており、
前記ノブスイッチアセンブリ（４）は、スリーブボタン（４１）と、ロータリーエンコーダ（４２）と、表示スクリーンブラケット（４３）と、制御アセンブリ（４４）とを含む
ことを特徴とする電磁調理器のノブ構造。
【請求項２】
前記スリーブボタン（４１）と、ロータリーエンコーダ（４２）と、表示スクリーンブラケット（４３）とは、軸線に沿って外側から内側に順番に組み立てられている
ことを特徴とする請求項１に記載の電磁調理器のノブ構造。
【請求項３】
前記スリーブボタン（４１）には、スリーブボタン（４１）とロータリーエンコーダ（４２）との周方向に対する回転を防止するための位置制限構造が設置されており、前記位置制限構造は、スリーブボタン（４１）のプリント回路基板（５）に近接する一端に設置された複数の挿入バックル（４１１）と、スリーブボタン（４１）の内壁に設置された複数の突出リブ（４１２）とを、含む
ことを特徴とする請求項１に記載の電磁調理器のノブ構造。
【請求項４】
前記スリーブボタン（４１）のプリント回路基板（５）と遠隔する一端の内壁には、フランジが設置されている
ことを特徴とする請求項１に記載の電磁調理器のノブ構造。
【請求項５】
前記ロータリーエンコーダ（４２）は、中空構造を有する固定内枠（４２１）と回転外枠（４２２）とを含み、固定内枠（４２１）と回転外枠（４２２）とは、同一軸線に沿ってスリーブ接続され、固定内枠（４２１）の一端は、外側に向かうプリント回路基板（５）の一側に固定される
ことを特徴とする請求項１に記載の電磁調理器のノブ構造。
【請求項６】
前記回転外枠（４２２）の外壁には、少なくとも一つのアウターバックル位置（４２２１）と少なくとも一つのアウタースロット（４２２２）とが設置されており、固定内枠（４２１）の内壁には、少なくとも一つのインナーバックル位置（４２１１）と一つの位置制限溝（４２１２）とが設置されている
ことを特徴とする請求項１に記載の電磁調理器のノブ構造。
【請求項７】
前記表示スクリーンブラケット（４３）の一端は、固定内枠（４２１）内に挿入接続され、前記表示スクリーンブラケット（４３）のプリント回路基板（５）と遠隔する一端の端面には、取付溝（４３１）が設置されており、その外壁には、少なくとも一つの位置制限リブ（４３２）と少なくとも一つの位置制限係合バックル（４３３）とが設置されている
ことを特徴とする請求項１に記載の電磁調理器のノブ構造。
【請求項８】
前記取付溝（４３１）の溝壁の外側には、複数の係合バックル孔（４３４）が形成され、取付溝（４３１）の底端には、通線孔（４３１１）が形成され、その内壁には、一グループの係合リブ（４３１２）が対称的に設置され、その内壁の下側には、底部リブ（４３１３）が形成され、取付溝（４３１）の両側には、左取付溝（４３１４）と右取付溝（４３１５）とがそれぞれ形成され、前記左取付溝（４３１４）および右取付溝（４３１５）には、いずれも、固定孔が形成される
ことを特徴とする請求項７に記載の電磁調理器のノブ構造。
【請求項９】
前記制御アセンブリ（４４）は、外側に向かうプリント回路基板（５）の一面に設置されたスイッチボタン（４４１ａ）と、表示スクリーンブラケット（４３）のプリント回路基板（５）に面している一端の端面に設置され、前記端面に平行されるフランジシート（４４４ａ）と、表示スクリーンブラケット（４３）のプリント回路基板（５）に近接する一端に設置された少なくとも一つの弾性素子（４４２ａ）および少なくとも一つの支持リブ（４４３ａ）とを、含み、弾性素子（４４２ａ）の両端は、それぞれ表示スクリーンブラケット（４３）に接続され、支持リブ（４４３ａ）は、弾性素子（４４２ａ）に固定され、また、プリント回路基板（５）の表面に支持される
ことを特徴とする請求項１に記載の電磁調理器のノブ構造。
【請求項１０】
前記制御アセンブリ（４４）は、係合バックル（４４１ｂ）と、電磁調理器内に設置されたドアロック（４４２ｂ）と、戻しばね（４４３ｂ）と、表示スクリーンブラケット（４３）の内壁に形成されたリング状のリブ（４４４ｂ）とを含み、ドアロック（４４２ｂ）は、取付プレート（４４２ｂ１）と、取付プレート（４４２ｂ１）に接続されたロック体（４４２ｂ２）を含み、ロック体（４４２ｂ２）内には、ロックバックル（４４２ｂ３）が設置されており、係合バックル（４４１ｂ）は、表示スクリーンブラケット（４３）の外側壁に固定され、また、プリント回路基板（５）のスルーホールを通って、ロックバックル（４４２ｂ３）と結合され、戻しばね（４４３ｂ）の一端は、取付プレート（４４２ｂ１）のプレート面に固定され、他端は、表示スクリーンブラケット（４３）の内側壁に固定され、また、リング状のリブ（４４４ｂ）によって係合される
ことを特徴とする請求項１に記載の電磁調理器のノブ構造。
【請求項１１】
前記制御アセンブリ（４４）は、信号ユニットをさらに含み、前記信号ユニットは、信号送信ユニットと、信号受信ユニットと、信号遮蔽ユニットとを含み、且つ、前記戻しばね（４４３ｂ）が伸張状態にあると、前記信号遮蔽ユニットは、前記信号受信ユニットと信号送信ユニットとの間の信号を遮蔽することによって、前記ノブスイッチアセンブリ（４）を回転させて前記家電製品を調節する制御信号を入力する
ことを特徴とする請求項１０に記載の電磁調理器のノブ構造。
【請求項１２】
前記信号ユニットは、光電スイッチ（４４５ｂ）と遮光シート（４４６ｂ）との組み合わせと、リードスイッチとマグネットとの組み合わせと、ホール素子とマグネットとの組み合わせとを含む
ことを特徴とする請求項１１に記載の電磁調理器のノブ構造。
【請求項１３】
前記光電スイッチ（４４５ｂ）または遮光シート（４４６ｂ）は、プリント回路基板（５）のロータリーエンコーダ（４２）に面している一側面に設置され、遮光シート（４４６ｂ）または光電スイッチ（４４５ｂ）は、スリーブボタン（４１）に設置される
ことを特徴とする請求項１２に記載の電磁調理器のノブ構造。
【請求項１４】
前記案内リブ（６）の外面は、凹状の円弧面であり、且つ、内側から外側への内径が徐々に小さくなる
ことを特徴とする請求項１に記載の電磁調理器のノブ構造。
【請求項１５】
前記案内リブ（６）の末端には、上半輪または全輪に位置するフランジ（６１）が設置されており、フランジ（６１）は、案内リブ（６）の末端の外面から突出される
ことを特徴とする請求項１に記載の電磁調理器のノブ構造。
【請求項１６】
前記フランジ（６１）の高さ≧１ｍｍである
ことを特徴とする請求項１５に記載の電磁調理器のノブ構造。
【請求項１７】
前記表示スクリーン（７）は、ＯＬＥＤスクリーンである
ことを特徴とする請求項１に記載の電磁調理器のノブ構造。
【請求項１８】
前記表示スクリーン（７）には、スクリーン表示領域（７１）が形成される
ことを特徴とする請求項１に記載の電磁調理器のノブ構造。
【請求項１９】
前記保護アセンブリ（８）は、スクリーン保護カバー（８１）を含み、スクリーン保護カバー（８１）の背部には、熱溶接カラム（８１１）が形成され、スクリーン保護カバー（８１）の外側壁には、係合バックル孔（４３４）と一対一対応するように係合接続される複数のバックル位置（８１２）が設置されており、スクリーン保護カバー（８１）は、熱溶接により表示スクリーンブラケット（４３）に固定され、また、表示スクリーン（７）の位置に対応して半透明の保護カバー表示領域（８１３）を形成する
ことを特徴とする請求項１に記載の電磁調理器のノブ構造。
【請求項２０】
前記スクリーン保護カバー（８１）の前端は、光面を形成し、後端は、局部的にフロストされた局部光面を形成する
ことを特徴とする請求項１９に記載の電磁調理器のノブ構造。
【請求項２１】
前記保護アセンブリ（８）は、光遮蔽シート（８２）をさらに含む
ことを特徴とする請求項１９に記載の電磁調理器のノブ構造。
【請求項２２】
前記光遮蔽シート（８２）は、スクリーン保護カバー（８１）と表示スクリーン（７）との間に設置され、表示スクリーン（７）に、直接的に当接されるか、または、間接的に固定される
ことを特徴とする請求項２１に記載の電磁調理器のノブ構造。
【請求項２３】
前記光遮蔽シート（８２）は、スクリーン表示領域（７１）に対応して開孔構造のカバー光透過領域（８２１）を形成し、カバー光透過領域（８２１）の周りには、熱溶接カラム（８１１）に対応される一つのまたは複数の位置制限孔（８２２）が設置される
ことを特徴とする請求項２２に記載の電磁調理器のノブ構造。
【考案の詳細な説明】
【技術分野】
【０００１】
本発明は、電気エネルギーを利用して加熱する炉またはストーブの制御装置の配置分野に属し、具体的には、電磁調理器のノブ構造に関する。
【背景技術】
【０００２】
電磁ストーブとも呼ばれる電磁調理器は、コイルに交番電流を印加して方向が不断に変化される交番磁界を発生させて、交番磁界内に位置する導体の内部に渦電流が生成されるようにして、渦電流のジュール加熱効果によって導体の温度を上昇させて、加熱を実現する。
【０００３】
電磁調理器は、一般的に、調理器具を支持するためのパネル、メイン電流回路を構成する高電圧メイン基板、コンピュータ制御機能のための低電圧メイン基板、動作状態の表示および操作命令の伝送のためのＬＥＤ回路基板、高周波交番電流を交番磁界に変換するためのコイルディスク、低電流信号により大電流のオン／オフを制御するＩＧＢＴ、交流電源を直流電源に変換するブリッジ整流ブロック、電磁調理器の電力の大きさを調節する操作制御アセンブリなどのような、コンポーネントを含む。
【０００４】
電磁調理器は、上記の原理に従って、加熱速度の高速化、省エネルギーと環境保護、清掃の容易化、精密な温度制御などの多くの利点を有するから、多くの人々の関心を受けている。
【０００５】
電磁調理器の使用過程で、一般的には、電力操作制御アセンブリによって、電磁調理器の電力の大きさを調節する。現在のところ、市場で販売されている電磁調理器の操作制御方法は、ボタン方式を採用する場合が多く、ここで、ボタン方式は、タッチボタンと機械式ボタンの両種がある。その中、タッチボタンの製品の場合には、使用過程で、操作部に野菜スープや水などの物質がよく付着されるため、操作信号がマスターチップによって受信されることができなく、操作が失敗してしまう。また、機械式ボタンの場合には、パネルに設置したＰＥＴ弾性ドラムキットが長期間使用される過程で、機械的疲労や油の腐食により、ボタンがよく破裂されたり失効されたりする。
【０００６】
そして、もし、ボタン操作を、ロータリーエンコーダが内蔵されたノブ操作方法に変更させると、新たな問題をもたらす。すなわち、ノブが突兀されているため、ユーザが清掃する際に突出されたノブ構造によってもっと面倒になり、また、操作表示インターフェイスが大きく、コストアップにつながる。
【０００７】
同時に、もし、ボタン操作を、ロータリーエンコーダが内蔵されたノブ操作方法に変化させると、電磁調理器のケーシング上に、ノブスイッチを通過させるためのスルーホールを開口する必要があり、また、回転操作を実現するために、スルーホールの内壁とノブスイッチの外壁との間には間隙が存在する必要がある。もし、電磁調理器の調理過程でスープや油がノブスイッチの周りの間隙に沿ってケーシング内に流入すると、ケーシングの内部で短絡やその他の故障を起こしやすい。
【０００８】
技術の進歩に伴い、スマートキッチン家電は徐々に人々の日常生活に入り、スマートキッチン家電は、簡単な操作、豊富なプリセットコンテンツ、インテリジェントな調理、シンプルで美しい外観、および、効率的な調理時間と調理状況を実現できるため、人気が多い。電磁調理器は、代表的なキッチン家電製品として、そのほとんどが、製品機能表示ユニットとしてますますＯＬＥＤ器件を使用し始めて、製品のハイテクレベルを具現する。業界では、ＯＬＥＤスクリーンと製品外観との一致性と、ＯＬＥＤスクリーンに対する保護とを実現するために、基本的に、ＯＬＥＤスクリーンに透明なカバーを設置し、カバーおよびＯＬＥＤスクリーンの非表示領域に、不透明な塗料をコーティングしたり、フィルム材を貼付したりすることによって、スクリーン内部の外観でない領域を遮蔽して、製品の外観のレベルを改善する。しかし、部分的なコーティングであっても部分的な貼り付けであっても、加工技術の精度に対する要求が高く、コストも高い。
【考案の概要】
【０００９】
本発明は、従来の技術に存在する問題を解決するためになされたものであり、その目的は、電磁調理器を提供することにある。
【００１０】
本発明の技術案は、以下のとおりである。
前記電磁調理器のノブ構造は、ケーシングに設置された少なくとも一つのノブスイッチアセンブリと、ケーシング内に設置されたプリント回路基板とを含み、ノブスイッチアセンブリは、ケーシングに開口されたスルーホールを通ってプリント回路基板に接続され、
前記スルーホールの周囲には、ケーシングから突出された一回りの案内リブが設置されており、
前記ノブスイッチアセンブリには、表示スクリーンが組み立てられており、
前記表示スクリーンの外側には、保護アセンブリが設置されており、
前記ノブスイッチアセンブリは、スリーブボタンと、ロータリーエンコーダと、表示スクリーンブラケットと、制御アセンブリとを含む。
【００１１】
前記スリーブボタンと、ロータリーエンコーダと、表示スクリーンブラケットとは、軸線に沿って外側から内側に順番に組み立てられている。
【００１２】
前記スリーブボタンには、スリーブボタンとロータリーエンコーダとの周方向に対する回転を防止するための位置制限構造が設置されており、前記位置制限構造は、スリーブボタンのプリント回路基板に近接する一端に設置された複数の挿入バックルと、スリーブボタン内壁に設置された複数の突出リブとを含む。
【００１３】
前記スリーブボタンのプリント回路基板と遠隔する一端の内壁には、フランジが設置されている。
【００１４】
前記ロータリーエンコーダは、中空構造を有する固定内枠と回転外枠とを含み、固定内枠と回転外枠とは、同一軸線に沿ってスリーブ接続され、固定内枠の一端は、外側に向かうプリント回路基板の一側に固定される。
【００１５】
前記回転外枠の外壁には、少なくとも一つのアウターバックル位置と、少なくとも一つのアウタースロットとが設置されており、固定内枠の内壁には、少なくとも一つのインナーバックル位置と一つの位置制限溝とが設置されている。
【００１６】
前記表示スクリーンブラケットの一端は、固定内枠内に挿入接続され、前記表示スクリーンブラケットのプリント回路基板と遠隔する一端の端面には、取付溝が設置されており、その外壁には、少なくとも一つの位置制限リブと少なくとも一つの位置制限係合バックルとが設置されている。
【００１７】
前記取付溝の溝壁の外側には、複数の係合バックル孔が形成され、取付溝の底端には、通線孔が形成され、その内壁には、一グループの係合リブが対称的に設置され、その内壁の下側には、底部リブが形成され、取付溝の両側には、左取付溝と右取付溝とがそれぞれ形成され、前記左取付溝および右取付溝には、いずれも、固定孔が形成される。
【００１８】
前記制御アセンブリは、外側に向かうプリント回路基板の一面に設置されたスイッチボタンと、表示スクリーンブラケットのプリント回路基板に面している一端の端面に設置され、且つ、前記端面に平行されるフランジシートと、表示スクリーンブラケットのプリント回路基板に近接する一端に設置された少なくとも一つの弾性素子および少なくとも一つの支持リブとを含み、弾性素子の両端は、それぞれ表示スクリーンブラケットに接続され、支持リブは、弾性素子に固定され、また、プリント回路基板の表面に支持される。
【００１９】
前記制御アセンブリは、係合バックルと、電磁調理器内に設置されたドアロックと、戻しばねと、表示スクリーンブラケットの内壁に形成されたリング状のリブとを含み、ドアロックは、取付プレートと、取付プレートに接続されたロック体とを含み、ロック体内には、ロックバックルが設置されており、係合バックルは、表示スクリーンブラケットの外側壁に固定され、また、プリント回路基板のスルーホールを通って、ロックバックルと結合され、戻しばねの一端は、取付プレートのプレート面に固定され、他端は、表示スクリーンブラケットの内側壁に固定され、また、リング状のリブによって係合される。
【００２０】
前記制御アセンブリは、信号ユニットをさらに含み、前記信号ユニットは、信号送信ユニットと、信号受信ユニットと、信号遮蔽ユニットとを含み、且つ、前記戻しばねが伸張状態にあると、前記信号遮蔽ユニットは、前記信号受信ユニットと信号送信ユニットとの間の信号を遮蔽することによって、前記ノブスイッチアセンブリを回転させて前記家電製品を調節する制御信号を入力する。
【００２１】
前記信号ユニットは、光電スイッチと遮光シートとの組み合わせと、リードスイッチとマグネットとの組み合わせと、ホール素子とマグネットとの組み合わせとを含む。
【００２２】
前記光電スイッチまたは遮光シートは、プリント回路基板のロータリーエンコーダに面している一側面に設置され、遮光シートまたは光電スイッチは、スリーブボタンに設置される。
【００２３】
前記案内リブの外面は、凹状の円弧面であり、且つ、内側から外側への内径が徐々に小さくなる。
【００２４】
前記案内リブの末端には、上半輪または全輪に位置するフランジが設置されており、フランジは、案内リブの末端の外面から突出される。
【００２５】
前記フランジの高さ≧１ｍｍである。
【００２６】
前記表示スクリーンは、ＯＬＥＤスクリーンである。
【００２７】
前記表示スクリーンには、スクリーン表示領域が形成される。
【００２８】
前記保護アセンブリは、スクリーン保護カバーを含み、スクリーン保護カバーの背部には、熱溶接カラムが形成され、スクリーン保護カバーの外側壁には、係合バックル孔と一対一対応するように係合接続される複数のバックル位置が設置されており、スクリーン保護カバーは、熱溶接により表示スクリーンブラケットに固定され、また、表示スクリーンの位置に対応して半透明の保護カバー表示領域を形成する。
【００２９】
前記スクリーン保護カバーの前端は、光面を形成し、後端は、局部的にフロストされた局部光面を形成する。
【００３０】
前記保護アセンブリは、光遮蔽シートをさらに含む。
【００３１】
前記光遮蔽シートは、スクリーン保護カバーと表示スクリーンとの間に設置され、表示スクリーンに、直接的に当接されるか、または、間接的に固定される。
【００３２】
前記光遮蔽シートは、スクリーン表示領域に対応して開孔構造のカバー光透過領域を形成し、カバー光透過領域の周りには、熱溶接カラムに対応される一つのまたは複数の位置制限孔が設置される。
【００３３】
本発明の有益の効果は、以下のとおりである
本発明によると、ノブスイッチアセンブリを伸縮できる構造として設置し、また、ノブスイッチアセンブリ内に信号ユニットを設置することによって、使用する際にノブスイッチアセンブリを一回押すだけでノブスイッチアセンブリが自動的にポップアップされて、ユーザによりノブスイッチアセンブリを利用して電磁調理器の電力の大きさと加熱時間とを調節でき、また、使用完了後にノブスイッチアセンブリをもう一回押すと、ノブスイッチアセンブリが電器内部に引き込まれることになって、使用寿命を延長し、また、ユーザの清掃を便利にした。
【００３４】
本発明によると、ノブスイッチアセンブリ内に、表示スクリーンと、ロータリーエンコーダと、制御アセンブリと、三つの信号受信装置および信号フィードバック装置とを統合することによって、電磁調理器内で操作表示インターフェイスが占める空間を効果的に節約して、製品をより小型で低コストにすることができる。
【００３５】
本発明によると、ケーシングのノブスイッチアセンブリの周りに案内リブを設置することによって、不注意で調理器具から溢れ出たスープが、ケーシングに沿って下方または周りへ流動する際に、ノブスイッチアセンブリの附近まで流れると、案内リブによって案内されて案内リブの外周面の方向へ流動されるようにして、スープがケーシングの内部へ流入されることを防止した。
【００３６】
本発明によると、表示スクリーンブラケット上の取付溝を利用して表示スクリーンに対する固定を実現し、スクリーン保護カバーおよび光遮蔽シートを利用して表示スクリーンに対する保護を実現し、また、ＯＬＥＤスクリーンの表示効果を確保することができ、保護アセンブリ表示領域を表示スクリーンの表示領域よりもわずかに大きくなるようにして明確な表示を確保し、熱溶接カラムおよび係合バックル孔を利用して保護アセンブリと表示スクリーンブラケットの固定を実現して、保護アセンブリの安定性を確保した。
【図面の簡単な説明】
【００３７】
【図１】本発明の断面図である。
【図２】本発明の分解構造の模式図である。
【図３】本発明の全体的な構造の模式図である。
【図４】図１のＩ部分の拡大構造の模式図である。
【図５】本発明の保護アセンブリを除いた後の正面図である。
【図６】本発明のスクリーン保護カバーの構造の模式図である。
【図７】本発明の光遮蔽シートの構造の模式図である。
【図８】本発明の制御アセンブリを除いた後のノブスイッチアセンブリの構造の模式図である。
【図９】本発明の表示スクリーンブラケットの構造の模式図である。
【図１０】本発明の実施例１の表示スクリーンの組立分解図である。
【図１１】本発明の実施例１のノブスイッチアセンブリおよびプリント回路基板の組立分解図である。
【図１２】本発明の実施例２のノブスイッチアセンブリの分解模式図である。
【図１３】本発明の実施例２の表示スクリーンブラケットの上面図である。
【図１４】本発明の実施例２のノブスイッチアセンブリのドアロックの押込み結合状態の立体構造の模式図である。
【図１５】本発明の実施例２のノブスイッチアセンブリのドアロックの開放状態下の立体構造の模式図である。
【図１６】本発明の実施例２のノブスイッチアセンブリの引っ込め状態下の立体構造の模式図である。
【図１７】本発明の実施例２のノブスイッチアセンブリの引っ込め状態下の断面構造の模式図である。
【図１８】本発明の実施例２のノブスイッチアセンブリの張り出し状態下の立体構造の模式図である。
【図１９】本発明の実施例２のノブスイッチアセンブリの張り出し状態下の断面構造の模式図である。
【図２０】本発明の実施例２のノブスイッチアセンブリの表示スクリーンの設置の分解模式図である。
【図２１】本発明の実施例２のノブスイッチアセンブリのＭＣＵのメイン制御のフロック図である。
【図２２】本発明の実施例２のノブスイッチアセンブリの光電スイッチの回路図である。
【図２３】本発明の実施例２のノブスイッチアセンブリのロータリーエンコーダと光電スイッチとが回転する際の回路図である。
【図２４】本発明の実施例２のノブスイッチアセンブリのロータリーエンコーダと光電スイッチとが時計方向に回転する際の波形チャートである。
【図２５】本発明の実施例２のノブスイッチアセンブリのロータリーエンコーダと光電スイッチとが反時計回りに回転する際の波形チャートである。
【図２６】本発明の実施例２の電磁調理器のＬＥＤライトの火力指示駆動回路である。
【００３８】
【考案を実施するための形態】
【００３９】
以下、図面と実施例を参照しながら、本発明を詳細に説明する。
図１〜３に示したように、電磁調理器は、ケーシング１と、コイルディスク２と、パネル３とを含み、ケーシング１には、少なくとも一つのノブスイッチアセンブリ４が設置されており、ケーシング１内には、プリント回路基板５が設置されており、ケーシング１には、スルーホール１１が開口されており、ノブスイッチアセンブリ４は、スルーホール１１を通ってプリント回路基板５に接続され、前記スルーホール１１の周囲には、ケーシング１から突出される一回りの案内リブ６が設置されており、前記ノブスイッチアセンブリ４には、表示スクリーン７が組み立てられており、前記表示スクリーン７の外側には、保護アセンブリ８が設置されている。前記プリント回路基板５は、マイクロコントローラＭＣＵが統合されたプリント回路基板ＰＣＢである。前記ノブスイッチアセンブリ４の全体は、円柱またはほぼ円柱の構造を有する。
【００４０】
図３および図４に示したように、前記案内リブ６の外面は、凹状の円弧面であり、且つ、内側から外側への内径は徐々に小さくなり、案内リブ６は、スルーホール１１の円心を軸心とするか、または、スルーホール１１のほぼ円心を軸心とする。案内リブ６とケーシング１との間の遷移円弧面は、キッチン家電の美観を改善する同時に、ユーザの毎日の清掃を便利にすることができる。
【００４１】
具体的に、図３を参照すると、図３中の矢印線は、スープの流動方向を示しており、不注意で調理器具から溢れ出たスープが、ケーシング１を沿って下方または周りへ流動する際に、ノブスイッチアセンブリ４の附近まで流動されると、案内リブ６によって案内されて案内リブ６の外周面の方向へ流動されることで、スープのケーシング１の内部への流入を防止する。
【００４２】
前記案内リブ６の末端には、上半輪または全輪に位置するフランジ６１が設置されており、フランジ６１は、案内リブ６の末端の外面から突出されて、調理器具から溢れ出たスープが下方へ流動するようにして、さらに、スープのケーシング１の内部への流入を防止する。フランジ６１の高さ≧１ｍｍであり、さらに、止水の効果を与える同時に、ノブスイッチに対する操作に影響を及ぼさないようにする。
【００４３】
図３および図５〜図７に示したように、前記表示スクリーン７は、ＯＬＥＤスクリーンである。
【００４４】
前記表示スクリーン７には、スクリーン表示領域７１が形成される。
【００４５】
前記保護アセンブリ８は、スクリーン保護カバー８１を含み、スクリーン保護カバー８１の背部には、熱溶接カラム８１１が形成され、スクリーン保護カバー８１の外側壁には、複数の係合バックル孔４３４と一対一対応するように係合接続されるバックル位置８１２が設置されており、スクリーン保護カバー８１は、熱溶接により表示スクリーンブラケット４３上に固定され、また、スクリーン表示領域７１の位置に対応して半透明の保護カバー表示領域８１３が形成されている。バックル位置８１２は、円弧状の帯状をなし、バックル位置８１２は、係合バックル孔４３４の断面形状に適合している。
【００４６】
前記保護アセンブリ８は、光遮蔽シート８２をさらに含む。
【００４７】
前記光遮蔽シート８２は、スクリーン保護カバー８１と表示スクリーン７との間に設置され、表示スクリーン７に、直接に当接されるか、または、間接的に固定される。
【００４８】
前記光遮蔽シート８２は、スクリーン表示領域７１に対応して開孔構造のカバー光透過領域８２１を形成し、開孔領域のサイズは、Ｌ２ｘＨ２である。カバー光透過領域８２１の周りには、熱溶接カラム８１１に対応される一つのまたは複数の位置制限孔８２２が設置される。
【００４９】
前記保護カバー表示領域８１３およびカバー光透過領域８２１のサイズは、スクリーン表示領域７１よりもわずかに大きい。
【００５０】
スクリーン保護カバー８１は、外力による表示スクリーン７の損傷を避けるために、表示スクリーン７の表面にカバーされ、光遮蔽シート８２は、遮光を支援するために、スクリーン保護カバー８１と表示スクリーン７との間に設置され、光遮蔽シート８２は、スクリーン保護カバー８１および表示スクリーン７の取付に偏差が存在する場合に、表示スクリーン７に光漏れ現象が発生しないように確保して、その表示効果を確保する。
【００５１】
前記スクリーン保護カバー８１は、半透明のプラスチック材料からなるが、半透明のＡＢＳ、ＰＣ、ＰＭＭＡ、ＰＡ、ＰＰなどに限定されない。前記スクリーン表示領域７１の表示領域サイズは、Ｌ１ｘＨ１であり、スクリーン保護カバー８１の表示スクリーン７と遠隔する一面は、光面効果を果たすように設置され、表示スクリーン７に向かい合うスクリーン保護カバー８１の一面は、局部的にフロストされた局部光面効果を果たすように設置され、前記光面構造領域のカバー光透過領域８２１のサイズは、Ｌ２ｘＨ２である。
【００５２】
前記光遮蔽シート８２は、暗色であるが、黒色、濃灰色、暗褐色のＰＥＴシートに限定されない。光遮蔽シート８２の背部には、接着剤とスクリーン保護カバー８１とが設置されているか、または、表示スクリーンブラケット４３が接着されている。
【００５３】
前記光遮蔽シート８２には、一つのまたは複数の位置制限孔８２２が設置され、これに対応して、スクリーン保護カバー８１には、該当する熱溶接カラム８１１が設置され、光遮蔽シート８２は、熱溶接カラム８１１と位置制限孔８２２とのスリーブ嵌り合いによって、スクリーン保護カバー８１と表示スクリーン７との間に設置される。
【００５４】
スクリーン保護カバー８１も、テープや接着剤によって固定されるか、または、係合バックルを設置して表示スクリーンブラケット４３に押込み結合される。スクリーン保護カバー８１の機能は、表示スクリーン７の表面に被られて、表示スクリーン７が外力や衝撃の影響を受けて故障が発生することを防止することである。
【００５５】
スクリーン保護カバー８１は、さらに、熱溶接カラム８１１と取付溝４３１の固定孔との間の締まり嵌め組立によって、表示スクリーンブラケット４３との固定が実現されてもよく、スクリーン保護カバー８１が表示スクリーンブラケット４３から脱落することを防止できる同時に、シームレスな接続、ボルトなし接続、および、溶接なし接続を実現して、組立効率および組立後の美観を改善する。
【００５６】
その中、Ｌ１+５ｍｍ≧Ｌ２≧Ｌ１+０.５ｍｍであり、Ｈ１+５ｍｍ≧Ｈ２≧Ｌ２+０.５ｍｍである。
【００５７】
前記光遮蔽シート８２は、暗色のＰＥＴ材料からなり、アセンブリの取り付けが完了された後に、表示スクリーン７と周囲のプラスチック材との間の色差が小さくなり、ＯＬＥＤスクリーン４の表面に、局部的にフロスト(Frost)処理を行った半透明のスクリーンカバー６を取り付けた後に、表示スクリーン７に通電されていない状態で、外観から表示スクリーン７の輪郭がほとんど見えず、視覚的には、表示スクリーン７の領域がスクリーン保護カバー８１の輪郭まで広がれたような効果があり、表示スクリーン７のサイズが、より大きく、より統合されたように感じられて、製品のレベルおよび技術感を向上させる。
【００５８】
通電状態において、光遮蔽シート８２は、表示スクリーン７の光線が表示領域以外の位置から乱反射されることを防止して、画像製品の視覚体験を回避することができる。
【００５９】
スクリーン保護カバー８１の局部光面の領域のサイズは、表示スクリーン７のスクリーン表示領域７１よりもわずかに大きく設置されて、スクリーン保護カバー８１と表示スクリーン７との取り付けにわずかな偏差があるとしても、通電状態での表示スクリーン７の表示領域が完全に光面透光位置に位置するように効果的に確保でき、明確な表示効果を確保できる。
【００６０】
図８に示したように、前記ノブスイッチアセンブリ４は、スリーブボタン４１と、ロータリーエンコーダ４２と、表示スクリーンブラケット４３と、制御アセンブリ４４とを含む。前記スリーブボタン４１と、ロータリーエンコーダ４２と、表示スクリーンブラケット４３とは、外側から内側に順番に同一軸線またはほぼ同一軸線にスリーブ設置される。
【００６１】
前記スリーブボタン４１上には、スリーブボタン４１およびロータリーエンコーダ４２の周方向に対する回転を防止するための位置制限構造が設置されており、前記位置制限構造は、スリーブボタン４１に設置され、プリント回路基板５の一端に近接して設置された複数の挿入バックル４１１と、スリーブボタン４１の内壁に設置された複数の突出リブ４１２とを含む。
【００６２】
前記スリーブボタン４１のプリント回路基板５と遠隔する一端の内壁には、フランジが設置されて、表示スクリーンブラケット４３の脱落を防止する。
【００６３】
前記ロータリーエンコーダ４２は、中空構造を有する固定内枠４２１と回転外枠４２２とを含み、固定内枠４２１と回転外枠４２２とは、同一軸線に沿ってスリーブ接続され、固定内枠４２１の一端は、外側に向かうプリント回路基板５の一側に固定され、回転外枠４２２は、ロータリーエンコーダ４２の軸線を回転中心として自由に回転できる。
【００６４】
前記ロータリーエンコーダ４２上には、ロータリーエンコーダ４２とスリーブボタン４１、表示スクリーンブラケット４３との間の周方向に対する回転を防止するための位置制限構造が設置されており、前記位置制限構造は、回転外枠４２２の外壁に設置された少なくとも一つのアウターバックル位置４２２１および少なくとも一つのアウタースロット４２２２と、固定内枠４２１の内壁に設置された少なくとも一つのインナーバックル位置４２１１および一つの位置制限溝４２１２とを、含む。
【００６５】
複数の挿入バックル４１１とアウターバックル位置４２２１とは、一対一対応するように挿入接続されて、スリーブボタン４１の回転動作を回転外枠４２２に伝達するためのものである。突出リブ４１２は、アウタースロット４２２２に一対一対応するように挿入接続されて、スリーブボタン４１とロータリーエンコーダ４２との間の周方向回転を防止できる。
【００６６】
図８および図９に示したように、前記表示スクリーンブラケット４３の一端は、固定内枠４２１内に挿入接続され、プリント回路基板５と遠隔するその一端の端面には、取付溝４３１が設置されており、その外壁には、少なくとも一つの位置制限リブ４３２と少なくとも一つの位置制限係合バックル４３３とが設置されており、取付溝４３１の溝壁の外側には、複数の係合バックル孔４３４が形成されており、前記表示スクリーンブラケット４３は、黒色、濃灰色、暗褐色などのような、暗色のプラスチック材料である。
【００６７】
前記取付溝４３１は、表示スクリーン７を取り付けるためのものであり、ユーザがノブアセンブリを操作する時に、家電製品の現在の動作状態を便利に知るようにし、視線を二つの領域に分割して情報を得る必要がなくなる。
【００６８】
前記取付溝４３１の底端には、通線孔４３１１が形成され、その内壁の左右の両側には、対称される係合リブ４３１２が形成され、その内壁の下側には、底部リブ４３１３が形成され、取付溝４３１の両側には、左取付溝４３１４と右取付溝４３１５とがそれぞれ形成され、取付溝４３１の下端には、下取付溝４３１６が設置され、前記左取付溝４３１４、右取付溝４３１５および下取付溝４３１６内には、いずれも、固定孔４３１７が形成される。
【００６９】
位置制限リブ４３２と位置制限溝４２１２とは、一対一対応するように結合され、位置制限係合バックル４３３とインナーバックル位置４２１１とは、一対一対応するように結合されて、表示スクリーンブラケット４３の軸線に沿う回転を制限して、表示スクリーンブラケット４３を周方向上で固定された角度の位置と固定するためのものである。
【００７０】
表示スクリーンブラケット４３の表示スクリーン７を設置する一端には、少なくとも一つの熱溶接カラムを通過させるためのスルーホールが設置されている。
【００７１】
実施例１
図１０および図１１に示したように、前記制御アセンブリ４４は、外側に向かうプリント回路基板５の一面に設置されたスイッチボタン４４１ａと、表示スクリーンブラケット４３のプリント回路基板５に面している一端の端面に設置されて、前記端面に平行されるフランジシート４４４ａと、表示スクリーンブラケット４３のプリント回路基板５に近接する一端に設置された少なくとも一つの弾性素子４４２ａおよび少なくとも一つの支持リブ４４３ａとを含み、弾性素子４４２ａは、Ｕ形であり、且つ、その両端は、それぞれ表示スクリーンブラケット４３に接続され、支持リブ４４３ａは、弾性素子４４２ａに固定され、また、プリント回路基板５の表面に支持される。
【００７２】
弾性素子４４２ａは、ばね、または、弾性プラスチックのリブ位置である。ユーザが表示スクリーンブラケット４３を押す際の変位量は弾性素子４４２ａの弾性変形によって吸収される。ユーザが手を離すと、弾性素子４４２ａは跳ね返って表示スクリーンブラケット４３を初期位置に戻して、表示スクリーン７がスリーブボタン４１と共に回転しないように確保し、表示効果が常にユーザの視界の最適な位置に保持されて、ユーザエクスペリエンスがより良い。
【００７３】
表示スクリーンブラケット４３を押圧することにより、フランジシート６６が、駆動されてスイッチボタン４４１ａに触れて、電磁調理器を操作する。
【００７４】
実施例２
図１２〜図２０に示したように、前記制御アセンブリ４４は、係合バックル４４１ｂと、電磁調理器内に設置されたドアロック４４２ｂと、戻しばね４４３ｂと、表示スクリーンブラケット４３の内壁に形成されたリング状のリブ４４４ｂを含み、上記技術案において回路板５の中央にはスルーホール５１が形成されている。
【００７５】
前記ドアロック４４２ｂは、取付プレート４４２ｂ１と、取付プレート４４２ｂ１に接続されたロック体４４２ｂ２とを含み、ロック体４４２ｂ２内には、「Ｙ」型のロックバックル４４２ｂ３が設置されており、係合バックル４４１ｂは、「Ｔ」型であり、表示スクリーンブラケット４３の外側壁に固定され、また、プリント回路基板５のスルーホール５１を通って、「Ｙ」型のロックバックル４４２ｂ３に結合され、戻しばね４４３ｂの一端は、取付プレート４４２ｂ１のプレート面に固定され、他端は、表示スクリーンブラケット４３の内側壁に固定され、また、リング状のリブ４４４ｂによって係合される。
【００７６】
係合バックル４４１ｂは、表示スクリーンブラケット４３のドアロック４４２ｂに近接する一端に設置され、ノブスイッチアセンブリ４を押圧することにより、係合バックル４４１ｂとドアロック４４２ｂとが、押込み結合されたり離脱されたりするようにし、これに対応されて、ノブスイッチアセンブリ４が引っ込め状態または張り出し状態になるようにする。また、ノブスイッチアセンブリ４が張り出し状態にある際に、ノブスイッチアセンブリ４を回転させて家電製品を調節するための制御信号を入力する。
【００７７】
本実施例において、ノブスイッチアセンブリの張り出し動作および引っ込め動作は、以下のとおりである。電磁調理器の正常状態は、ノブスイッチアセンブリの引っ込め状態であり、図１６および図１７に示したように、この場合、ドアロック４４２ｂの「Ｙ」型のロックバックル４４２ｂ３と表示スクリーンブラケット４３に接続された「Ｔ」型の係合バックル４４１ｂとが押込み結合される。この状態で、ユーザがノブスイッチアセンブリを押すと、ドアロック４４２ｂの「Ｙ」型のロックバックル４４２ｂ３はオン状態に変化され、図１８および図１９に示したように、この場合、「Ｔ」型の係合バックル４４１ｂはもうバックルされなくなって、表示スクリーンブラケット４３は戻しばね４４３ｂの作用によって外側へポップアップされ、ノブスイッチアセンブリの全体が駆動されて外側へポップアップされる。この状態で、スリーブボタン４１は、家電製品の外面よりも高く、ユーザはスリーブボタン４１を回転させてロータリーエンコーダ４２が動作するように駆動することで、電磁調理器を操作制御することができる。この状態で、ユーザがノブスイッチアセンブリを押し込んで内側に移動させて、表示スクリーンブラケット４３の末端の「Ｔ」型の係合バックル４４１ｂが、ドアロック４４２ｂの「Ｙ」型のロックバックル４４２ｂ３に触れるまでに移動させると、「Ｙ」型のロックバックル４４２ｂ３は再び押込み結合状態になり、この時、「Ｔ」型の係合バックル４４１ｂと「Ｙ」型のロックバックル４４２ｂ３は再び押込み結合され、ノブスイッチアセンブリは再び引っ込め状態になる。
【００７８】
本実施例において、制御アセンブリ４４は、信号ユニットをさらに含み、ノブスイッチアセンブリが押されて張り出し状態にある際に、信号受信ユニットは信号送信ユニットの信号を受信し、また、ノブスイッチアセンブリを回転させて電磁調理器を調節する。
【００７９】
前記信号ユニットは、信号送信ユニットと、信号受信ユニットと、信号遮蔽ユニットとを含み、前記回転アセンブリが張り出し状態にあると、前記信号遮蔽ユニットは、前記信号受信ユニットと信号送信ユニットとの間の信号を遮蔽することによって、前記回転アセンブリを回転させて前記家電製品を調節するための制御信号を入力する。
【００８０】
前記信号ユニットは、光電スイッチ４４５ｂおよび遮光シート４４６ｂの組み合わせと、リードスイッチとマグネットとの組み合わせと、ホール素子とマグネットとの組み合わせとを、含む。
【００８１】
光電スイッチ４４５ｂまたは遮光シート４４６ｂは、プリント回路基板５のロータリーエンコーダ４２に面している一側面に設置され、遮光シート４４６ｂまたは光電スイッチ４４５ｂは、スリーブボタン４１上に設置される。
【００８２】
本実施例においては、光電スイッチ４４５ｂおよび遮光シート４４６ｂの組み合わせのみを例として説明する。その中、信号送信端は、信号送信ユニットであり、信号受信端は、信号受信ユニットであり、遮光シート４４６ｂは、信号遮蔽ユニットである。具体的に、図１６および図１８を参照すると、光電スイッチ４４５ｂまたは遮光シート４４６ｂは、プリント回路基板５の第１のプレート面３５に設置され、遮光シート４４６ｂまたは光電スイッチは、ノブスイッチアセンブリ４に設置され、本実施例においては、スリーブボタン３１または家電製品に設置される。光電スイッチ４４５ｂの特性は、信号送信端と信号受信端との間の遮光遮蔽の有無の状態で、信号送信端のレベルは低レベルと高レベルとの間で変換されることである。ロータリーエンコーダ３２が引っ込め状態にある場合、光電スイッチ４４５ｂは遮光シート４４６ｂと遠隔され、続いて図１６に示したように、光電スイッチ４４５ｂの信号受信端と信号送信端との間に障碍遮蔽がないと、この状態で電磁調理器の状態は待機状態に設置される。この時、ノブスイッチアセンブリ４を回転させると、家電製品も信号を受信しない。ロータリーエンコーダ３２が張り出し状態にある場合、続いて図１８に示したように、遮光シート４４６ｂは光電スイッチ４４５ｂの切欠き位置に挿入され、この状態で家電製品の状態は動作状態に設置される。この時、ノブスイッチアセンブリを回転させると、電磁調理器は、ロータリーエンコーダ４２の回転位置に基づいて電力調整または時間調整のような関連操作を実行することができる。
【００８３】
ＯＬＥＤスクリーンは、ドットマトリクス方式であり、ＭＣＵによって互いに異なる駆動信号を出力することにより、互いに異なる情報が表示でき、従来のデジタルチューブの表示方式よりも、フレキシブルである。また、ＯＬＥＤ表示スクリーン７のスクリーンが占める面積ももっと小さくなって、空間を節約できる。
【００８４】
図２１に示したように、マイクロコントローラＭＣＵが統合されたプリント回路基板５のＭＣＵは、それぞれ、光電スイッチ４４５ｂ、ロータリーエンコーダ４２、ＯＬＥＤ表示スクリーン７、および、ＬＥＤライトに信号接続され、ノブスイッチアセンブリ４はケーシング１のスルーホール１１を通った後に押されて、ドアロック４４２ｂとロックバックル４４２ｂ３とが押込み結合されたり離脱されたりするようにして、これに応じて、ノブスイッチアセンブリ４が引っ込め状態または張り出し状態になるようにする。また、張り出し状態で、ノブスイッチアセンブリ４を回転させて電磁調理器の電力および時間を調節する。
【００８５】
本発明の電磁調理器の操作方法は、以下のとおりであり、その中、ロータリーエンコーダ４２が「昇威電子」の中空インクリメンタルタイプＥＣ３５０２０２である例を挙げて説明する。
【００８６】
１）電磁調理器が通電されたばかりの時、ノブスイッチアセンブリ４のロータリーエンコーダ４２は、引っ込め状態にあり、光電スイッチ４４５ｂの信号受信端と信号送信端との間には障碍遮蔽がなく、この時、光電スイッチは高レベルを出力する。光電スイッチによって出力された信号は、ＭＣＵによって処理され、ＭＣＵはＬＥＤライトが明滅されるように駆動して、ユーザに電磁調理器が待機状態にあることを知らせる。同時に、ＭＣＵに内蔵されたタイマは、t１をカウントし始め、t≧t１（３０ｓ≦t１≦９０ｓ）の時、ＭＣＵは、ＬＥＤが消灯されるように駆動して、電磁調理器の待機電力を低減する。待機状態において、スリーブボタン４１を回転させると、ロータリーエンコーダ４２がスリーブボタン４１と共に回転する時、ＭＣＵは、信号を受信せず、ＩＧＢＴモジュールを駆動してコイルディスクがオフ状態になるようにする。
【００８７】
２）ユーザがスリーブボタン４１を押して、ロータリーエンコーダ４２が張り出し状態になるようにすると（つまり、ノブスイッチアセンブリ４が張り出し状態になる）、光電スイッチ４４５ｂの切欠き位置が遮光シート４４６ｂによって遮蔽され、光電スイッチ４４５ｂの信号受信端と信号送信端との間は遮光シート４４６ｂによって遮蔽され、この時、光電スイッチ４４５ｂは低レベルを出力する。この時、スリーブボタン４１を回転してロータリーエンコーダ４２を回転させると、ロータリーエンコーダ４２によって出力されたパルス信号は、ＭＣＵによって処理され、ＭＣＵはＬＥＤライトが常に点灯されるように駆動して、ユーザに電磁調理器が動作状態にあることを知らせる。電磁調理器が動作状態にある時には、回転アセンブリを回転して、電磁調理器を調節するための制御信号を入力することができ、具体的には、以下の操作方法Ａおよび操作方法Ｂを含む。
操作方法Ａにおいて、もし、スリーブボタン４１を時計方向に回転すると、ＭＣＵはＩＧＢＴモジュールを駆動してコイルディスクの電力が徐々に大きくなってコイルディスクに設定された最大の電力までなるように制御し、ＬＥＤライトの点灯された数量が徐々に増加（または、輝度が徐々に強くなる）されてすべて点灯（本実施例ではＬＥＤライトの数量は９個である）されるようにする。もし、スリーブボタン４１を反時計回りに回転すると、ＭＣＵはＩＧＢＴを駆動してコイルディスクの電力が徐々に小さくなってコイルディスクのオフ電力が零になるように制御し、ＬＥＤライトの点灯された数量が徐々に減少（または、輝度が徐々に弱くなる）されて一つのＬＥＤライトのみが点灯されるようにする。
【００８８】
操作方法Ｂにおいて、ユーザがスリーブボタン４１を押してロータリーエンコーダ４２が引っ込め状態になるようにすると（つまり、ノブスイッチアセンブリ４が引っ込め状態になる）、光電スイッチ４４５ｂは再び遮光シート４４６ｂと遠隔され、光電スイッチ４４５ｂの信号受信端と信号送信端との間には障碍遮蔽がなくなり、この時、光電スイッチ４４５ｂによって高レベルが出力される。同時に、ＭＣＵに内蔵されたタイマは、t２をカウントし始め、t≦t２（本実施例では、１０ｓ≦t２≦４０ｓ）の時、ＭＣＵによってロータリーエンコーダ４２が出力したパルスが検出されると、ＭＣＵは当該パルス信号を処理して電磁調理器の動作設定時間を調整する。t≦t２の場合、スリーブボタン４１を時計方向に回転すると、ＭＣＵはＯＬＥＤを駆動して表示スクリーンに表示された時間を増加される方向へ調整して、デフォルト設定の加熱時間を延長し、スリーブボタン４１を反時計回りに回転と、ＭＣＵはＯＬＥＤを駆動して表示スクリーンに表示された時間を減少される方向へ調整して、デフォルト設定の加熱時間を短縮する。t＞t２の場合、ＭＣＵによってロータリーエンコーダ４２が出力したパルスが検出されないと、電磁調理器が待機状態にあると判定し、この状態で、ＬＥＤライトを明滅して、ユーザに電磁調理器が待機状態にあることを知らせる。待機状態で、ＭＣＵに内蔵されたタイマは再びt１をカウントし始め、t≧t１（３０ｓ≦t１≦９０ｓ）の時、ＭＣＵはＬＥＤが消灯状態になるように駆動して、製品の待機電力を低減することができる。待機状態で、スリーブボタン４１を回転させると、ロータリーエンコーダ４２がスリーブボタン４１と共に回転する時、ＭＣＵは、信号を受信せず、ＩＧＢＴモジュールを駆動してコイルディスクがオフ状態になるようにする。
【００８９】
本実施例において、ＭＣＵは、光電スイッチ４４５ｂの溝形成位置に遮蔽物があるか否かを検出することで、ノブスイッチが引っ込め状態にあるか、それとも張り出し状態にあるかを判断する。図２２に示したように、ＭＣＵは、溝形状の光電スイッチ４４５ｂのＯＵＴ端のレベル状態を検出することで、ノブスイッチが張り出し状態にあるか、それとも引っ込め状態にあるかを判断する。つまり、溝形成位置に遮蔽物があると、光が隔離され、ＯＵＴ端に高レベルが出力され、遮蔽物を溝形成位置から移動させると、光線が通過され、ＯＵＴ端に低レベルが出力される。ＭＣＵは、ロータリーエンコーダ４２を利用して、ノブスイッチが時計方向に回転するか、それとも反時計回りに回転するかを判断する。図２３至図２５に示したように、ロータリーエンコーダ４２が光電スイッチ４４５ｂと共に回転すると、ＭＣＵは、ロータリーエンコーダ４２のＡ点およびＢ点の波形の変化を検出することによって、時計方向に回転するか、それとも反時計回りに回転するかを判断して、火力の大きさまたは時間の長さを調節し、火力の大きさをＬＥＤライトによって示し、また、ＯＬＥＤ表示スクリーン８で、火炎形状で火力を表示し、数字で時間を表示する。ＬＥＤの火力表示駆動回路は、図２６に示したように、ＬＥＤライトの輝度を確保するために、各ＬＥＤライトが一つのＮＰＮ三極管によって駆動される。ＭＣＵは、各ＬＥＤライトに対して一つのＩＯ駆動を割り当て、ＩＯから高レベルが出力されると、ＬＥＤライトが点灯され、ＩＯから低レベルが出力されると、ＬＥＤライトが消灯状態になる。このように、ＬＥＤライトの点灯の数量およびＬＥＤの点灯の輝度を柔軟に制御できる。
【００９０】
以上の実施例は、本発明の単なる例示的な実施例であり、本発明を限定するものではなく、本発明の保護範囲は、請求の範囲によって限定される。当業者は、本発明の実質および保護範囲内で、本発明に対してさまざまな修正または均等な置き換えを実行することができるが、これら修正または均等な置き換えも本発明の保護範囲内に属されるとみなすべきである。
【００９１】
本発明によると、ノブスイッチアセンブリを伸縮できる構造として設置し、また、ノブスイッチアセンブリ内に信号ユニットを設置することによって、使用する際にノブスイッチアセンブリを一回押すだけでノブスイッチアセンブリが自動的にポップアップされることになって、ユーザによりノブスイッチアセンブリを利用して電磁調理器の電力の大きさと加熱時間とを調節でき、また、使用完了後にノブスイッチアセンブリをもう一回押すと、ノブスイッチアセンブリが電器内部に引き込まれることになって、使用寿命を延長し、また、ユーザの清掃を便利にした。
【００９２】
本発明によると、ノブスイッチアセンブリ内に、表示スクリーンと、ロータリーエンコーダと、制御アセンブリと、三つの信号受信装置および信号フィードバック装置とを統合することによって、電磁調理器内で操作表示インターフェイスが占める空間を効果的に節約して、製品をより小型で低コストにすることができる。
【００９３】
本発明によると、ケーシングのノブスイッチアセンブリの周りに案内リブを設置することによって、不注意で調理器具から溢れ出たスープが、ケーシングに沿って下方または周りへ流動する際に、ノブスイッチアセンブリの附近まで流れると、案内リブによって案内されて案内リブの外周面の方向へ流動されるようにして、スープがケーシングの内部へ流入されることを防止した。
【００９４】
本発明によると、表示スクリーンブラケット上の取付溝を利用して表示スクリーンに対する固定を実現し、スクリーン保護カバーおよび光遮蔽シートを利用して表示スクリーンに対する保護を実現し、また、ＯＬＥＤスクリーンの表示効果を確保することができ、保護アセンブリ表示領域を表示スクリーンの表示領域よりもわずかに大きくなるようにして明確な表示を確保し、熱溶接カラムおよび係合バックル孔を利用して保護アセンブリと表示スクリーンブラケットの固定を実現して、保護アセンブリの安定性を確保した。
【符号の説明】
【００９５】
１  ケーシング                     ２  コイルディスク
３  パネル                         ４  ノブスイッチアセンブリ
５  プリント回路基板                   ６  案内リブ
７  表示スクリーン                 ８  保護アセンブリ
１１  スルーホール                 ４１  スリーブボタン
４２  ロータリーエンコーダ         ４３  表示スクリーンブラケット
４４  制御アセンブリ               ４１１  挿入バックル
４１２  突出リブ                   ４２１  固定内枠
４２２  回転外枠                   ４２１１  インナーバックル位置
４２１２  位置制限溝               ４２２１  アウターバックル位置
４２２２  アウタースロット         ４３１  取付溝
４３２  位置制限リブ               ４３３  位置制限係合バックル
４３４  係合バックル孔             ４３１１  通線孔
４３１２  係合リブ                 ４３１３  底部リブ
４３１４  左取付溝                 ４３１５  右取付溝
４３１６  下取付溝                 ４３１７  固定孔
４４１ａ  スイッチボタン           ４４２ａ  弾性素子
４４３ａ  支持リブ                 ４４４ａ  フランジシート
４４１ｂ  係合バックル             ４４２ｂ  ドアロック
４４３ｂ  戻しばね                 ４４４ｂ  リング状のリブ
４４２ｂ１  取付プレート           ４４２ｂ２  ロック体
４４２ｂ３  ロックバックル         ４４５ｂ  光電スイッチ
４４６ｂ  遮光シート               ６１  フランジ
７１  スクリーン表示領域           ８１  スクリーン保護カバー
８１１  熱溶接カラム               ８１２  バックル位置
８１３  保護カバー表示領域         ８２  光遮蔽シート
８２１  カバー光透過領域       ８２２  位置制限孔
５１  スルーホール
【図１】
0003223502.tif 000003
【図２】
0003223502.tif 000004
【図３】
0003223502.tif 000005
【図４】
0003223502.tif 000006
【図５】
0003223502.tif 000007
【図６】
0003223502.tif 000008
【図７】
0003223502.tif 000009
【図８】
0003223502.tif 000010
【図９】
0003223502.tif 000011
【図１０】
0003223502.tif 000012
【図１１】
0003223502.tif 000013
【図１２】
0003223502.tif 000014
【図１３】
0003223502.tif 000015
【図１４】
0003223502.tif 000016
【図１５】
0003223502.tif 000017
【図１６】
0003223502.tif 000018
【図１７】
0003223502.tif 000019
【図１８】
0003223502.tif 000020
【図１９】
0003223502.tif 000021
【図２０】
0003223502.tif 000022
【図２１】
0003223502.tif 000023
【図２２】
0003223502.tif 000024
【図２３】
0003223502.tif 000025
【図２４】
0003223502.tif 000026
【図２５】
0003223502.tif 000027
【図２６】
0003223502.tif 000028
【手続補正書】
【提出日】平成31年4月14日(2019.4.14)
【手続補正１】
【補正対象書類名】実用新案登録請求の範囲
【補正対象項目名】全文
【補正方法】変更
【補正の内容】
【実用新案登録請求の範囲】
【請求項１】
ケーシング（１）に設置された少なくとも一つのノブスイッチアセンブリ（４）と、ケーシング（１）内に設置されたプリント回路基板（５）とを、含み、ノブスイッチアセンブリ（４）は、ケーシング（１）に開口されたスルーホール（１１）を通って、プリント回路基板（５）に接続される、電磁調理器のノブ構造であって、
前記スルーホール（１１）の周囲には、ケーシング（１）から突出された一回りの案内リブ（６）が設置されており、
前記ノブスイッチアセンブリ（４）には、表示スクリーン（７）が組み立てられており、
前記表示スクリーン（７）の外側には、保護アセンブリ（８）が設置されており、
前記ノブスイッチアセンブリ（４）は、スリーブボタン（４１）と、ロータリーエンコーダ（４２）と、表示スクリーンブラケット（４３）と、制御アセンブリ（４４）とを含み、
前記スリーブボタン（４１）と、ロータリーエンコーダ（４２）と、表示スクリーンブラケット（４３）とは、軸線に沿って外側から内側に順番に組み立てられている
ことを特徴とする電磁調理器のノブ構造。
【請求項２】
前記スリーブボタン（４１）には、スリーブボタン（４１）とロータリーエンコーダ（４２）との周方向に対する回転を防止するための位置制限構造が設置されており、前記位置制限構造は、スリーブボタン（４１）のプリント回路基板（５）に近接する一端に設置された複数の挿入バックル（４１１）と、スリーブボタン（４１）の内壁に設置された複数の突出リブ（４１２）とを、含み、
前記スリーブボタン（４１）のプリント回路基板（５）と遠隔する一端の内壁には、フランジが設置されている
ことを特徴とする請求項１に記載の電磁調理器のノブ構造。
【請求項３】
前記ロータリーエンコーダ（４２）は、中空構造を有する固定内枠（４２１）と回転外枠（４２２）とを含み、固定内枠（４２１）と回転外枠（４２２）とは、同一軸線に沿ってスリーブ接続され、固定内枠（４２１）の一端は、外側に向かうプリント回路基板（５）の一側に固定され、
前記回転外枠（４２２）の外壁には、少なくとも一つのアウターバックル位置（４２２１）と少なくとも一つのアウタースロット（４２２２）とが設置されており、固定内枠（４２１）の内壁には、少なくとも一つのインナーバックル位置（４２１１）と一つの位置制限溝（４２１２）とが設置されている
ことを特徴とする請求項１に記載の電磁調理器のノブ構造。
【請求項４】
前記表示スクリーンブラケット（４３）の一端は、固定内枠（４２１）内に挿入接続され、前記表示スクリーンブラケット（４３）のプリント回路基板（５）と遠隔する一端の端面には、取付溝（４３１）が設置されており、その外壁には、少なくとも一つの位置制限リブ（４３２）と少なくとも一つの位置制限係合バックル（４３３）とが設置されており、
前記取付溝（４３１）の溝壁の外側には、複数の係合バックル孔（４３４）が形成され、取付溝（４３１）の底端には、通線孔（４３１１）が形成され、その内壁には、一グループの係合リブ（４３１２）が対称的に設置され、その内壁の下側には、底部リブ（４３１３）が形成され、取付溝（４３１）の両側には、左取付溝（４３１４）と右取付溝（４３１５）とがそれぞれ形成され、前記左取付溝（４３１４）および右取付溝（４３１５）には、いずれも、固定孔が形成される
ことを特徴とする請求項１に記載の電磁調理器のノブ構造。
【請求項５】
前記制御アセンブリ（４４）は、外側に向かうプリント回路基板（５）の一面に設置されたスイッチボタン（４４１ａ）と、表示スクリーンブラケット（４３）のプリント回路基板（５）に面している一端の端面に設置され、前記端面に平行されるフランジシート（４４４ａ）と、表示スクリーンブラケット（４３）のプリント回路基板（５）に近接する一端に設置された少なくとも一つの弾性素子（４４２ａ）および少なくとも一つの支持リブ（４４３ａ）とを、含み、弾性素子（４４２ａ）の両端は、それぞれ表示スクリーンブラケット（４３）に接続され、支持リブ（４４３ａ）は、弾性素子（４４２ａ）に固定され、また、プリント回路基板（５）の表面に支持される
ことを特徴とする請求項１に記載の電磁調理器のノブ構造。
【請求項６】
前記制御アセンブリ（４４）は、係合バックル（４４１ｂ）と、電磁調理器内に設置されたドアロック（４４２ｂ）と、戻しばね（４４３ｂ）と、表示スクリーンブラケット（４３）の内壁に形成されたリング状のリブ（４４４ｂ）とを含み、ドアロック（４４２ｂ）は、取付プレート（４４２ｂ１）と、取付プレート（４４２ｂ１）に接続されたロック体（４４２ｂ２）を含み、ロック体（４４２ｂ２）内には、ロックバックル（４４２ｂ３）が設置されており、係合バックル（４４１ｂ）は、表示スクリーンブラケット（４３）の外側壁に固定され、また、プリント回路基板（５）のスルーホールを通って、ロックバックル（４４２ｂ３）と結合され、戻しばね（４４３ｂ）の一端は、取付プレート（４４２ｂ１）のプレート面に固定され、他端は、表示スクリーンブラケット（４３）の内側壁に固定され、また、リング状のリブ（４４４ｂ）によって係合される
ことを特徴とする請求項１に記載の電磁調理器のノブ構造。
【請求項７】
前記制御アセンブリ（４４）は、信号ユニットをさらに含み、前記信号ユニットは、信号送信ユニットと、信号受信ユニットと、信号遮蔽ユニットとを含み、且つ、前記戻しばね（４４３ｂ）が伸張状態にあると、前記信号遮蔽ユニットは、前記信号受信ユニットと信号送信ユニットとの間の信号を遮蔽することによって、前記ノブスイッチアセンブリ（４）を回転させて前記家電製品を調節する制御信号を入力する
ことを特徴とする請求項６に記載の電磁調理器のノブ構造。
【請求項８】
前記信号ユニットは、光電スイッチ（４４５ｂ）と遮光シート（４４６ｂ）との組み合わせと、リードスイッチとマグネットとの組み合わせと、ホール素子とマグネットとの組み合わせとを含み、
前記光電スイッチ（４４５ｂ）または遮光シート（４４６ｂ）は、プリント回路基板（５）のロータリーエンコーダ（４２）に面している一側面に設置され、遮光シート（４４６ｂ）または光電スイッチ（４４５ｂ）は、スリーブボタン（４１）に設置される
ことを特徴とする請求項７に記載の電磁調理器のノブ構造。
【請求項９】
前記案内リブ（６）の外面は、凹状の円弧面であり、且つ、内側から外側への内径が徐々に小さくなり、
前記案内リブ（６）の末端には、上半輪または全輪に位置するフランジ（６１）が設置されており、フランジ（６１）は、案内リブ（６）の末端の外面から突出され、
前記フランジ（６１）の高さ≧１ｍｍである
ことを特徴とする請求項１に記載の電磁調理器のノブ構造。
【請求項１０】
前記表示スクリーン（７）は、ＯＬＥＤスクリーンであり、
前記表示スクリーン（７）には、スクリーン表示領域（７１）が形成される
ことを特徴とする請求項１に記載の電磁調理器のノブ構造。
【請求項１１】
前記保護アセンブリ（８）は、スクリーン保護カバー（８１）と、光遮蔽シート（８２）とを含み、スクリーン保護カバー（８１）の背部には、熱溶接カラム（８１１）が形成され、スクリーン保護カバー（８１）の外側壁には、係合バックル孔（４３４）と一対一対応するように係合接続される複数のバックル位置（８１２）が設置されており、スクリーン保護カバー（８１）は、熱溶接により表示スクリーンブラケット（４３）に固定され、また、表示スクリーン（７）の位置に対応して半透明の保護カバー表示領域（８１３）を形成し、
前記スクリーン保護カバー（８１）の前端は、光面を形成し、後端は、局部的にフロストされた局部光面を形成し、
前記光遮蔽シート（８２）は、スクリーン保護カバー（８１）と表示スクリーン（７）との間に設置され、表示スクリーン（７）に、直接的に当接されるか、または、間接的に固定され、
前記光遮蔽シート（８２）は、スクリーン表示領域（７１）に対応して開孔構造のカバー光透過領域（８２１）を形成し、カバー光透過領域（８２１）の周りには、熱溶接カラム（８１１）に対応される一つのまたは複数の位置制限孔（８２２）が設置される
ことを特徴とする請求項１に記載の電磁調理器のノブ構造。